(57)【要約】      （修正有） 【課題】予め、特定の色分けを施した印刷面を有する中敷を、無色透明部分と有色透明部分とで構成されるクリアファイルに挟むだけで、効果的な暗記ができる中敷入りクリアファイルを提供する。【解決手段】中敷４が入るクリアファイル１において、前記クリアファイルは、無色透明部分と有色透明部分とからなり、前記有色透明部分は、一色または二色以上からなるようにする。そして、前記中敷には、有色透明部分重なった際に暗記事項が見えなくなるよう、予め暗記事項の背面を有色透明部分と補色関係の色で印刷しておくか、有色透明部分と同色または近似色で暗記事項を印刷する。或は、該クリアファイルの有色透明部分が赤色の場合は、黄色または黄色の近似色で印刷できる。上述のクリアファイル間に、更に仕切りシートを設け、該仕切りシートは、無色透明部分と、一色または二色以上の有色透明部分とからなるよう配置する。【選択図】図２
0003152756.tif 000002
【実用新案登録請求の範囲】
【請求項１】
クリアファイルとクリアファイルに入る中敷とからなる中敷入りクリアファイルにおいて、前記クリアファイルは、無色透明部分と、一色または二色以上の有色透明部分とを備え、前記中敷は、クリアファイルに挟むと特定の文字、記号、図形またはこれらを結合した部分が、クリアファイルの有色透明部分と重なって見えなくなるか見づらくなるよう印刷された第一印刷部分、第二印刷部分、第三印刷部分の内、何れか一種または、二種以上の印刷部分とを備えていることを特徴とする中敷入りクリアファイル。
【請求項２】
請求項１に記載の中敷入りクリアファイルであって、中敷の第一印刷部分は、文字、記号、図形またはこれらを結合した部分の背面が、該クリアファイルの有色透明部分と補色関係の色で印刷されていることを特徴とする中敷入りクリアファイル。
【請求項３】
請求項１に記載の中敷入りクリアファイルであって、中敷の第二印刷部分は、文字、記号、図形またはこれらを結合した部分が、該クリアファイルの有色透明部分と同色または近似色で印刷されていることを特徴とする中敷入りクリアファイル。
【請求項４】
請求項１に記載の中敷入りクリアファイルであって、中敷の第三印刷部分は、文字、記号、図形またはこれらを結合した部分が、該クリアファイルの赤色の有色透明部分と重なる部分に対して黄色または黄色の近似色で印刷されていることを特徴とする中敷入りクリアファイル。
【請求項５】
請求項１から請求項４のいずれか1項に記載の中敷入りクリアファイルであって、クリアファイル間に更に仕切りシートを設け、該仕切りシートは、無色透明の部分と、一色または二色以上の有色透明の部分とからなることを特徴とする中敷入りクリアファイル。
【考案の詳細な説明】
【技術分野】
【０００１】
本考案は、予め印刷を施した中敷をクリアファイルに挟むと、特定の文字、記号、図形などが、クリアファイルの有色透明部分と重なって見えなくなるか見づらくなるよう配置した中敷入りクリアファイルに関するものである。
【背景技術】
【０００２】
従来、暗記用筆記用具として、暗記したい部分に赤色または緑色のマーカーを引き、引いたマーカー色と補色関係にある色の透明下敷きを重ねるとその部分が見えなくなるものが考案されている。
【０００３】
ここで、補色とは、ある色に一定の割合で交ぜ合わせると、光では白色光に、物では暗色系の色（黒色に近い色）になる関係の色のことをいう。色相環で最も離れた対称の位置にあるものは、補色の関係となる。例えば、赤色の補色は、青緑色であり、緑色の補色は、赤紫色であり、青紫色の補色は、黄色である。
【０００４】
また、マーカーを引かずとも、暗記したい部分が有色透明の下敷きと同色または同系色であれば、該下敷きを重ねるとその部分が見えなくなるか見えにくくなる事が知られている。
【０００５】
更に、黄色は、赤色の有色透明シートを通してみると、ほぼ見えなくなることが分っている。
【０００６】
そして、クリアファイルは、プラスチック製のシートを二枚重ね、その間に書類を挟んで使用するだけであり、ほとんどのものは透明であり、外側の書類が見えるようになっているか、色、図形付きになっている。
【特許文献１】特開２００５−２９７３２１号公報
【特許文献２】特開平０９−３０９２９１号公報
【考案の開示】
【考案が解決しようとする課題】
【０００７】
しかしながら、そもそもマーカーで暗記する場合、何が重要か、或は暗記事項か分らないと、闇雲にマーカーを引いてしまった結果、結局暗記できず見づらいノートや教科書になることが多く、途中挫折することもあった。
【０００８】
そして、度々、赤色や緑色の有色透明の下敷きを使用しなければならず、下敷きが無ければ、暗記がはかどらず、マーカーで色分けをしていれば、下敷きの使い分けが必要となるという効率面の問題があった。
【０００９】
また、クリアファイルも書類を挟んで使用する以外に暗記をする上で効果的な使用がこれまで成されていなかった。
【００１０】
本考案は、上記の問題点に斯かる実情に鑑みなされたもので、予め、特定の色分けを施した印刷面を有する中敷を、無色透明部分と有色透明部分とから構成されるクリアファイルに挟むことで、見易く、手間を掛けず、効果的な暗記ができる中敷入りクリアファイルを提供することを課題とする。
【課題を解決するための手段】
【００１１】
請求項１に記載の考案は、クリアファイルとクリアファイルに入る中敷とからなる中敷入りクリアファイルにおいて、前記クリアファイルは、無色透明部分と、一色または二色以上の有色透明部分とを備え、前記中敷は、クリアファイルに挟むと特定の文字、記号、図形またはこれらを結合した部分が、クリアファイルの有色透明部分と重なって見えなくなるか見づらくなるよう印刷された第一印刷部分、第二印刷部分、第三印刷部分の内、何れか一種または、二種以上の印刷部分とを備えていることを特徴とする。
【００１２】
請求項２に記載の考案は、請求項１に記載の中敷入りクリアファイルであって、中敷の第一印刷部分は、文字、記号、図形またはこれらを結合した部分の背面が、該クリアファイルの有色透明部分と補色関係の色で印刷されていることを特徴とする。
【００１３】
請求項３に記載の考案は、請求項１に記載の中敷入りクリアファイルであって、中敷の第二印刷部分は、文字、記号、図形またはこれらを結合した部分が、該クリアファイルの有色透明部分と同色または近似色で印刷されていることを特徴とする。
【００１４】
請求項４に記載の考案は、請求項１に記載の中敷入りクリアファイルであって、中敷の第三印刷部分は、文字、記号、図形またはこれらを結合した部分が、該クリアファイルの赤色の有色透明部分と重なる部分に対して黄色または黄色の近似色で印刷されていることを特徴とする。
【００１５】
請求項５に記載の考案は、請求項１から請求項４のいずれか1項に記載の中敷入りクリアファイルであって、クリアファイル間に更に仕切りシートを設け、該仕切りシートは、無色透明部分と、一色または二色以上の有色透明部分とからなることを特徴とする。
【考案の効果】
【００１６】
本考案によれば、従来通りクリアファイルの機能と暗記用下敷きの機能も保ちつつ、クリアファイルに、有色透明部分を設けることで、別途下敷きを用いる必要がなく、また、無色透明部分を設けることで、左右、上下に中敷をスライドするだけで、見えなくなっているか見づらくなっている印刷部分である暗記事項を見ることができる。
【００１７】
また、予め見えなくなっているか見づらくなっている印刷部分である暗記事項の背面をクリアファイルの有色透明部分と補色関係になる色にしておけば、自分で色分けする時間を節約し、暗記ができる。
【００１８】
同様に、予め見えなくなっているか見づらくなっている印刷部分である暗記事項の文字等をクリアファイルの有色透明部分と同色または近似色にすることで、有色透明部分と重ねると該文字等が見えなくなるか見づらくなる為、自分で色分けせずとも暗記ができる。
【００１９】
また、該クリアファイルの赤色の有色透明部分を、黄色または黄色の近似色で印刷された文字等と重ねることでも該文字等が見えなくなるか見づらくなる為、自分で色分けせずとも暗記ができる。
【００２０】
そして、上述の補色関係になる色と、同色または近似色と、或は、黄色または黄色の近似色との組合せにより、暗記事項の確認パターンが増え、効果的で楽しみながら暗記ができる。
【００２１】
更に、仕切りシートを設け、該仕切りシートを、無色透明部分と、一色または二色以上の有色透明部分とから構成することで、中敷を仕切りシートの表面または裏面に入れることによっても暗記事項の確認パターンが増え、効果的で楽しみながら暗記ができる。
【考案を実施するための最良の形態】
【００２２】
クリアファイルとクリアファイルに入る中敷とからなる中敷入りクリアファイルにおいて、前記クリアファイルは、無色透明部分と有色透明部分とからなり、前記有色透明部分は一色または二色以上からなるようにする。
そして、該中敷の、文字、記号、図形またはこれらを結合したものの内、特定の文字、記号、図形またはこれらを結合したものが、暗記事項として有色透明部分に重なった時に見えなくなる手段として、暗記事項の背面を該クリアファイルの有色透明部分と補色関係の色で印刷するか、暗記事項の色を該クリアファイルの有色透明部分と同色または近似色で印刷するか、或は、該クリアファイルの有色透明部分が赤色の場合は、黄色または黄色の近似色で印刷する。
また、上述のクリアファイル間に、更に仕切りシートを設け、該仕切りシートは、無色透明部分と、一色または二色以上の有色透明部分とからなる配置にする。
【実施例１】
【００２３】
以下、図面を参照して本考案に係る中敷き入りクリアファイルの一実施例を説明する。
図１は、本考案に係る中敷き入りクリアファイルの表面シートが無色透明部分と有色透明部分とからなる配置図であり、図２は、本考案に係る中敷き入りクリアファイルの仕様および拡大図である。
【００２４】
本実施例１は、クリアファイルを構成する表面シート２と裏面シート３の二枚のシートの内、表面シート２の有色透明部分の配置が、クリアファイルを縦割りに二分割し、左側の無色透明部分５と右側の赤色の有色透明部分６とからなっている。
【００２５】
そして、中敷４には、中敷を入れた際、無色透明部分５で覆われるエリアに昆虫のイラストを印刷し、赤色の有色透明部分６で覆われるエリアには、イラストに対応した左の昆虫のイラストに関する名称、生息地域、特徴等を記載する。
【００２６】
このとき、例えば、中敷内の名称「オオクワガタ」の文字を黒字且つ文字周囲の背面を赤色の有色透明部分６と補色関係にある青緑色で印刷するか、赤色、該赤色の近似色何れか一色で「オオクワガタ」の文字を印刷すれば、上記クリアファイルに挟んだ状態で「オオクワガタ」の文字が見えなくなるか見づらくなる。
【００２７】
或は、黄色または黄色の近似色の何れか一色で「オオクワガタ」の文字を印刷しても、上記クリアファイルに挟んだ状態で「オオクワガタ」の文字が見えなくなるか見づらくなる。
【００２８】
ここで、近似色とは、例えば、赤であれば、該赤にできるだけ近い色のことであり、有色透明部分と重ねて、文字が見えなくなるか見づらくなるよう注意する。
【００２９】
また、見えなくなっているか見づらくなっている文字を確認するには、中敷４をファイルから取り出せば確認できるが、中敷４を無色透明部分５まで左にスライドさせれば、わずかな移動で確認可能となり、無色透明部分５を設けたメリットが生かせる。
【００３０】
なお、中敷４は、一般的には紙製であるが、本考案に適した印刷が可能なものであれば特に限定しない。
【実施例２】
【００３１】
図３は、本考案に係る中敷き入りクリアファイルの表面シートが無色透明部分と有色透明部分とからなる配置図であり、図４は、本考案に係る中敷き入りクリアファイルの仕様および拡大図である。
【００３２】
実施例２は、有色透明部分が異なる二色から構成された中敷き入りクリアファイルであり、クリアファイルを構成する表面シート２と裏面シート３の二枚のシートの内、表面シート２の配置として無色透明部分と他の二色の割合を均等に縦割りに三等分にし、左面の無色透明部分５と中央面の赤色の有色透明部分６と右面の緑色の有色透明部分７とに配置したものである。
【００３３】
そして、中敷４の印刷面は、例えば無色透明部分５にはイラストが、緑色の有色透明部分７には昆虫のイラストに関する名称、種類、生息地域、特徴等が重なるよう構成してクリアファイルに挟む。
【００３４】
このとき、該名称等の内、種類「クワガタ虫科」の文字を黒字且つ文字周囲の背面を赤色の補色関係に当たる青緑色とし、名称「オオクワガタ」の文字を黒字且つ文字周囲の背面を緑色の補色関係に当たる赤紫色を背面色とする。
【００３５】
こうすれば、中敷き入りクリアファイルの中敷を入れた最初の状態から、中敷を左にスライドし、名称等を中央面に重ねると、最初に見えなくなっていた緑色と補色関係にある「オオクワガタ」の文字が現れて見え、最初に現れていた赤色と補色関係にある「クワガタ虫科」の文字が見えなくなる。
【００３６】
反対に、中敷き入りクリアファイルの中敷を右にスライドし、名称等を右面に重ねると、今度は、緑色と補色関係にある「オオクワガタ」の文字が見えなくなり、赤色と補色関係にある「クワガタ虫科」の文字が現れて見える。
【００３７】
このように、有色透明部分と補色関係にある色を背面色として二色用いれば、段階的に二ヶ所の事項が暗記できるようになる。
【００３８】
なお、実施例のように例えば、イラストと名称等の記載の間にメモ欄を印刷しておけば、自分で追加事項を書き足すことで暗記の理解をより高められる。
【００３９】
この他にも、該クリアファイルの有色透明の色と同色または近似色で名称等を印刷すれば、該名称等は、該有色透明部分を重ねると見えなくなるか見づらくなり、該クリアファイルの有色透明部分が赤色の場合は、黄色または黄色の近似色で名称等を印刷しても、見えなくなるか見づらくなるため、この手段を組み合わせると、暗記バリエーションが増える。
【００４０】
また、実施例１および実施例２で述べたクリアファイルを構成する二枚のシートの内、裏面シート３は、無色透明部分と、一色または二色以上の有色透明部分とからなる構成でも構わないが、無色透明のみでも、図５のように中敷が見えないよう、色や柄で覆っても良い。
【実施例３】
【００４１】
図６は、本考案に係る仕切りシートにも無色透明部分と有色透明部分とを配置した図であり、図７は、クリアファイルを構成する二枚のシートの間に、更に図６の仕切りシートを設けた仕様例である。
【００４２】
仕切りシート８の枚数は特に限定しないが、中敷を仕切りシート８の表面または裏面のどちら側に入れるかによっても暗記事項の確認パターンが増え、効果的で楽しみながら暗記ができる。
【００４３】
以上説明したように、好ましい実施例を挙げて本考案を説明したが、本考案はその実施例に限定されるものではなく、本考案の要旨の範囲内で種々に改変できる。
【図面の簡単な説明】
【００４４】
【図１】本考案に係る中敷き入りクリアファイルの表面シートが無色透明部分と有色透明部分とからなる配置図である。
【図２】本考案に係る中敷き入りクリアファイルの仕様および拡大図である。
【図３】本考案に係る中敷き入りクリアファイルの表面シートが無色透明部分と有色透明部分とからなる配置図である。
【図４】本考案に係る中敷き入りクリアファイルの仕様および拡大図である。
【図５】本考案に係るクリアファイルの裏面シートの図案例である。
【図６】本考案に係る仕切りシートに無色透明部分と有色透明部分とを配置した図である。
【図７】本考案に係るクリアファイルを構成する二枚のシートの間に更に仕切りシートを設けた仕様例である。
【符号の説明】
【００４５】
１  中敷入りクリアファイル
２  表面シート
３  裏面シート
４  中敷
５  無色透明部分
６  有色透明部分（赤色）
７  有色透明部分（緑色）
８  仕切りシート
【図１】
0003152756.tif 000003
【図２】
0003152756.tif 000004
【図３】
0003152756.tif 000005
【図４】
0003152756.tif 000006
【図５】
0003152756.tif 000007
【図６】
0003152756.tif 000008
【図７】
0003152756.tif 000009